【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
スケーラブル映像符号化のための仮想リファレンスデコーダの実現方法であって、
ｉを整数として、スケーラブルレイヤｉの従属レイヤ、テンポラルレイヤ及びクオリティレイヤを示すビットストリームに含まれる変数の値を決定するステップと、
前記スケーラブルレイヤｉに対応する仮想リファレンスデコーダパラメータを決定するステップと
を含み、
前記決定された仮想リファレンスデコーダパラメータは、少なくとも１つのビットレートパラメータを含み、該ビットレートパラメータは、前記スケーラブルレイヤｉ及びその従属レイヤのビットに基づいて決定され、
前記決定された仮想リファレンスデコーダパラメータは、最初の符号化ピクチャバッファ（ＣＰＢ）の引き抜き遅延、最初のＣＰＢの引き抜き遅延のオフセット、ＣＰＢの引き抜き遅延、及び復号化ピクチャバッファ（ＤＰＢ）の出力遅延を更に含み、
前記仮想リファレンスデコーダパラメータを決定するステップは、
夫々のテンポラルレイヤについて前記ビットストリームにおけるピクチャタイミングＳＥＩメッセージからの明示的に指示されたパラメータを用いることによって、前記ＣＰＢの引き抜き遅延及び前記ＤＰＢの出力遅延を決定し、前記ピクチャタイミングＳＥＩメッセージは、前記ビットストリームにおけるテンポラルレイヤの数を更に示し、
夫々のテンポラルレイヤにおいて異なる空間レイヤ又はクオリティレイヤに対応するスケーラブルレイヤについて同じであるように前記ＣＰＢの引き抜き遅延及び前記ＤＰＢの出力遅延を決定する
ことを含む、方法。
【請求項２】
前記ビットストリームにおいて多数の相互運用のポイントが存在し、前記多数の相互運用ポイントは、互いに関してスケーラビリティを示す、
請求項１に記載の方法。
【請求項３】
前記示されるスケーラビリティは、空間スケーラビリティ、時間スケーラビリティ及びＳＮＲスケーラビリティのうちの１つ以上を含む、
請求項２に記載の方法。
【請求項４】
前記仮想リファレンスデコーダを形成するルールのセットにより定義される、
請求項１に記載の方法。
【請求項５】
前記ＣＰＢの引き抜き遅延及び前記ＤＰＢの出力遅延は、夫々のテンポラルレイヤにおいて異なる空間レイヤ及びクオリティレイヤに対応するスケーラビリティレイヤについて同じままであり、前記ＣＰＢの引き抜き遅延及び前記ＤＰＢの出力遅延の値は、夫々のテンポラルレイヤについて異なる、
請求項１に記載の方法。
【請求項６】
スケーラブル映像符号化の方法であって、
ｉを整数として、スケーラブルレイヤｉの従属レイヤ、テンポラルレイヤ及びクオリティレイヤを示す変数の値を決定するステップと、
前記スケーラブルレイヤｉに対応する仮想リファレンスデコーダパラメータを決定するステップであって、前記決定された仮想リファレンスデコーダパラメータは、少なくとも１つのビットレートパラメータを含み、該ビットレートパラメータは、前記スケーラブルレイヤｉ及びその従属レイヤのビットに基づいて決定され、前記決定された仮想リファレンスデコーダパラメータは、最初の符号化ピクチャバッファ（ＣＰＢ）の引き抜き遅延、最初のＣＰＢの引き抜き遅延のオフセット、ＣＰＢの引き抜き遅延、及び復号化ピクチャバッファ（ＤＰＢ）の出力遅延を更に含む、ステップと、
前記決定された変数の値及び前記決定された仮想リファレンスデコーダパラメータを含むビットストリームを生成するステップと
を含み、
前記ＣＰＢの引き抜き遅延及び前記ＤＰＢの出力遅延は、夫々のテンポラルレイヤについて前記ビットストリームにおけるピクチャタイミングＳＥＩメッセージでのみ明示的に指示され、前記ピクチャタイミングＳＥＩメッセージは、前記ビットストリームにおけるテンポラルレイヤの数を更に示し、
前記ＣＰＢの引き抜き遅延及び前記ＤＰＢの出力遅延は、夫々のテンポラルレイヤにおいて異なる空間レイヤ又はクオリティレイヤに対応するスケーラブルレイヤについて同じであるように決定される、方法。
【請求項７】
前記ビットストリームにおいて多数の相互運用のポイントが存在し、前記多数の相互運用ポイントは、互いに関してスケーラビリティを示す、
請求項６に記載の方法。
【請求項８】
前記示されるスケーラビリティは、空間スケーラビリティ、時間スケーラビリティ及びＳＮＲスケーラビリティのうちの１つ以上を含む、
請求項７に記載の方法。
【請求項９】
前記ＣＰＢの引き抜き遅延及び前記ＤＰＢの出力遅延は、夫々のテンポラルレイヤにおいて異なる空間レイヤ及びクオリティレイヤに対応するスケーラビリティレイヤについて同じままであり、前記ＣＰＢの引き抜き遅延及び前記ＤＰＢの出力遅延の値は、夫々のテンポラルレイヤについて異なる、
請求項６に記載の方法。
【請求項１０】
１つ以上のプロセッサによって実行させる場合に、該１つ以上のプロセッサに、
ｉを整数として、スケーラブルレイヤｉの従属レイヤ、テンポラルレイヤ及びクオリティレイヤを示すビットストリームに含まれる変数の値を決定するステップと、
前記スケーラブルレイヤｉに対応する仮想リファレンスデコーダパラメータを決定するステップと
実行させ、
前記決定された仮想リファレンスデコーダパラメータは、少なくとも１つのビットレートパラメータを含み、該ビットレートパラメータは、前記スケーラブルレイヤｉ及びその従属レイヤのビットに基づいて決定され、
前記決定された仮想リファレンスデコーダパラメータは、最初の符号化ピクチャバッファ（ＣＰＢ）の引き抜き遅延、最初のＣＰＢの引き抜き遅延のオフセット、ＣＰＢの引き抜き遅延、及び復号化ピクチャバッファ（ＤＰＢ）の出力遅延を更に含み、
前記仮想リファレンスデコーダパラメータを決定するステップは、
夫々のテンポラルレイヤについて前記ビットストリームにおけるピクチャタイミングＳＥＩメッセージからの明示的に指示されたパラメータを用いることによって、前記ＣＰＢの引き抜き遅延及び前記ＤＰＢの出力遅延を決定し、前記ピクチャタイミングＳＥＩメッセージは、前記ビットストリームにおけるテンポラルレイヤの数を更に示し、
夫々のテンポラルレイヤにおいて異なる空間レイヤ又はクオリティレイヤに対応するスケーラブルレイヤについて同じであるように前記ＣＰＢの引き抜き遅延及び前記ＤＰＢの出力遅延を決定する
ことを含む、プログラム。
【請求項１１】
１つ以上のプロセッサによって実行させる場合に、該１つ以上のプロセッサに、
ｉを整数として、スケーラブルレイヤｉの従属レイヤ、テンポラルレイヤ及びクオリティレイヤを示す変数の値を決定するステップと、
前記スケーラブルレイヤｉに対応する仮想リファレンスデコーダパラメータを決定するステップであって、前記決定された仮想リファレンスデコーダパラメータは、少なくとも１つのビットレートパラメータを含み、該ビットレートパラメータは、前記スケーラブルレイヤｉ及びその従属レイヤのビットに基づいて決定され、前記決定された仮想リファレンスデコーダパラメータは、最初の符号化ピクチャバッファ（ＣＰＢ）の引き抜き遅延、最初のＣＰＢの引き抜き遅延のオフセット、ＣＰＢの引き抜き遅延、及び復号化ピクチャバッファ（ＤＰＢ）の出力遅延を更に含む、ステップと、
前記決定された変数の値及び前記決定された仮想リファレンスデコーダパラメータを含むビットストリームを生成するステップと
を実行させ、
前記ＣＰＢの引き抜き遅延及び前記ＤＰＢの出力遅延は、夫々のテンポラルレイヤについて前記ビットストリームにおけるピクチャタイミングＳＥＩメッセージでのみ明示的に指示され、前記ピクチャタイミングＳＥＩメッセージは、前記ビットストリームにおけるテンポラルレイヤの数を更に示し、
前記ＣＰＢの引き抜き遅延及び前記ＤＰＢの出力遅延は、夫々のテンポラルレイヤにおいて異なる空間レイヤ又はクオリティレイヤに対応するスケーラブルレイヤについて同じであるように決定される、プログラム。
【手続補正２】
【補正対象書類名】明細書
【補正対象項目名】００３７
【補正方法】変更
【補正の内容】
【００３７】
様々な実現は、この開示により意図され、これらの実現は、この開示で記載される１以上の特徴を含む場合がある。係る実現は、方法、装置又は命令からなるプログラムの形式である場合があり、たとえばハードウェア、ソフトウェア又はその組み合わせを使用して実現される場合がある。幾つかの可能性のある実現は、以下の特許請求の範囲に示される。  
上記の実施形態に加えて、以下の付記を開示する。
（付記１）
ビデオ圧縮環境におけるスケーラブル映像符号化の拡張のための仮想リファレンスデコーダ（ＨＲＤ：Hypothetical  Reference  Decoder）の実現方法。
（付記２）
前記ＨＲＤは、スケーラブル映像符号化の準拠のためにビットストリームのそれぞれの相互運用のポイントをテストする、
付記１記載の方法。
（付記３）
前記ビットストリームの様々な相互運用のポイントは１以上の変数により示される、
付記２記載の方法。
（付記４）
前記ビットストリームにおいて多数の相互運用のポイントが存在し、前記多数の相互運用ポイントは、互いに関してスケーラビリティを示す、
付記２記載の方法。
（付記５）
前記示されるスケーラビリティは、空間スケーラビリティ、時間スケーラビリティ及びＳＮＲスケーラビリティのうちの１以上を含む、
付記４記載の方法。
（付記６）
前記テストは、ＡＶＣ（Advanced  Video  Coding）又はＳＶＣ（Scalable  Video  Coding）に準拠するためにビットストリームがテストされるべきかを示す変数を調べることを含む、
付記２記載の方法。
（付記７）
前記変数は、“profile_idc”と呼ばれる、
付記６記載の方法。
（付記８）
前記変数がＡＶＣを示す場合、ＡＶＣとＨＲＤによるルールが実現され、
前記変数がＳＶＣを示す場合、ＳＶＣとＨＲＤによるルールが実現される、
付記６記載の方法。
（付記９）
前記変数がＳＶＣを示す場合、実現されるＳＶＣとＨＲＤによるルールは、複数回にわたり実行されるループを含み、
前記ループのそれぞれの実行は、１つの相互運用のポイントをテストする、
付記８記載の方法。
（付記１０）
前記ＨＲＤを形成するルールのセットにより定義される、
付記１記載の方法。
（付記１１）
前記ルールのセットは、ＡＶＣとＨＲＤによるルールに基づく、
付記１０記載の方法。